(57)【要約】【課題】眉がなくあるいは眉の痕跡に乏しい被施術者に合った自然な眉を描くことができ、また、被施術者が望む、より自然な仕上がりの眉を描くことができる眉描き補助ツールを提供する。【解決手段】眉描き補助ツール１０は、鼻骨側面の曲線を額に向けて滑らかに延長した仮想曲線上に眉頭を位置決めする眉頭位置決め手段と、アイホールと眉弓の間または眉弓近傍に該眉頭を含む眉全体を位置決めする眉全体位置決め手段を有するものであって、被施術者の少なくとも鼻１２および眉１４に相当する部分を模った樹脂マスクであり、眉１４全体が開口１６されたものである。【選択図】図２
2011152317.tif 000002
【特許請求の範囲】
【請求項１】
鼻骨側面の曲線を額に向けて滑らかに延長した仮想曲線上に眉頭を位置決めする眉頭位置決め手段と、アイホールと眉弓の間または該眉弓近傍に該眉頭を含む眉全体を位置決めする眉全体位置決め手段を有する眉描き補助ツール。
【請求項２】
被施術者の少なくとも鼻および眉に相当する部分を模った樹脂マスクであって、
眉全体が開口されてなることを特徴とする請求項１記載の眉描き補助ツール。
【請求項３】
前記開口にメッシュが設けられてなることを特徴とする請求項２記載の眉描き補助ツール。
【請求項４】
平面視で鋭角な周縁部分を有さないことを特徴とする請求項２記載の眉描き補助ツール。
【請求項５】
取っ手を設けてなることを特徴とする請求項２記載の眉描き補助ツール。
【請求項６】
請求項２記載の眉描き補助ツールの作製方法であって、
三次元計測器を用い、被施術者の顔を二方向から撮像して顔画像データを得る工程と、
撮像した顔画像データに基づいて、鼻骨側面の曲線を額に向けて滑らかに延長した仮想曲線上に眉頭を位置決めするとともに、アイホールと眉弓の間または該眉弓近傍に該眉頭を含む眉全体を位置決めし、さらに眉全体が開口されたマスクの三次元画像データを得る工程と、
三次元成形機を用い、該三次元画像データを取り込み、マスクを作製する工程と、
を有することを特徴とする眉描き補助ツールの作製方法。
【発明の詳細な説明】
【技術分野】
【０００１】
本発明は、眉描き補助ツールに関する。
【背景技術】
【０００２】
被施術者（眉を描く対象者）の顔に合ったバランスのよい美しい眉を描くために、眉テンプレートその他の種々の眉描き補助ツールが提案されている。
【０００３】
これらの眉描き補助ツールのうち、さまざまな眉を模った（かたどった）眉テンプレートは簡便に用いることができるものの、被施術者個々の顔に合った眉を描くうえでは必ずしも十分ではない。
【０００４】
これに対して、種々の美容理論を実現するための眉スケールも提案されている。
例えば、代表的な標準眉プロポーション理論では、形の良い眉は、（１）眉頭は目頭の真上から始まり、（２）眉尻は小鼻と目尻を結んだ延長線上にあり、（３）眉山は眉頭から２／３の位置にあることが望ましいとされている。そして、この標準眉プロポーション理論を実現するための眉スケールが提案されている。
また、上記とは異なる美容理論を採用したものとして、例えば、顔全体に対する眉の位置を重視して、相対的にスライドして顔の横幅を測定しうる把持部材とスライド部材からなり、スライド部材に目安線を描くための眉描写手段が設けられた眉スケールが提案されている（特許文献１参照）。
【０００５】
ところが、従来の眉描き補助ツールは、いずれも、もともとの眉あるいは少なくとも眉の痕跡を手掛かり、あるいは基準として眉頭や眉尻の位置を決定し、眉を描き起こすためのものである。
このため、病気その他の何らかの理由で眉がなくあるいは眉の痕跡に乏しい被施術者の場合、これら従来の眉描き補助ツールを用いて被施術者に合った眉を描くことは容易ではない。すなわち、描かれる眉形状そのものは美しいものであったとしても、描く眉の位置によっては、顔全体から見て不自然な、違和感のある仕上がりとなるおそれが大きい。
また、従来の眉スケールに採用されている美容理論では、顔の輪郭や、目、鼻、口等の顔の各パーツの大きさやバランスが人によってさまざまに異なるなかで、より自然な仕上がりの眉を描くことを望む被施術者にとっては必ずしも十分ではないおそれもある。
【先行技術文献】
【特許文献】
【０００６】
【特許文献１】特開２００７−２０９５５７号公報
【発明の概要】
【発明が解決しようとする課題】
【０００７】
解決しようとする問題点は、病気その他の何らかの理由で眉がなくあるいは眉の痕跡に乏しい被施術者の場合、従来の眉描き補助ツールでは被施術者に合った眉を描くことは容易ではない点である。
また、従来の眉スケールに採用されている美容理論では、より自然な仕上がりの眉を描くことを望む被施術者にとっては必ずしも十分ではないおそれがある点である。
【課題を解決するための手段】
【０００８】
本発明に係る眉描き補助ツールは、鼻骨側面の曲線を額に向けて滑らかに延長した仮想曲線上に眉頭を位置決めする眉頭位置決め手段と、アイホールと眉弓の間または該眉弓近傍に該眉頭を含む眉全体を位置決めする眉全体位置決め手段を有する。
【０００９】
また、本発明に係る眉描き補助ツールは、好ましくは、被施術者の少なくとも鼻および眉に相当する部分を模った（かたどった）樹脂マスクであって、眉全体が開口されてなることを特徴とする。
【００１０】
また、本発明に係る眉描き補助ツールは、好ましくは、前記開口にメッシュが設けられてなることを特徴とする。
【００１１】
また、本発明に係る眉描き補助ツールは、好ましくは、平面視で鋭角な周縁部分を有さないことを特徴とする。
【００１２】
また、本発明に係る眉描き補助ツールは、好ましくは、取っ手を設けてなることを特徴とする。
【００１３】
また、本発明に係る眉描き補助ツールの作製方法は、
上記の眉描き補助ツールの作製方法であって、
三次元計測器を用い、被施術者の顔を二方向から撮像して顔画像データを得る工程と、
撮像した顔画像データに基づいて、鼻骨側面の曲線を額に向けて滑らかに延長した仮想曲線上に眉頭を位置決めするとともに、アイホールと眉弓の間または該眉弓近傍に該眉頭を含む眉全体を位置決めし、さらに眉全体が開口されたマスクの三次元画像データを得る工程と、
三次元成形機を用い、該三次元画像データを取り込み、マスクを作製する工程と、
を有することを特徴とする。
【発明の効果】
【００１４】
本発明に係る眉描き補助ツールは、鼻骨側面の曲線を額に向けて滑らかに延長した仮想曲線上に眉頭を位置決めする眉頭位置決め手段と、アイホールと眉弓の間または眉弓近傍に眉頭を含む眉全体を位置決めする眉全体位置決め手段を有するため、病気その他の何らかの理由で眉がなくあるいは眉の痕跡に乏しい被施術者に合った自然な眉を描くことができる。また、被施術者が望む、より自然な仕上がりの眉を描くことができる。
また、本発明に係る眉描き補助ツールの作製方法は、被施術者の顔を二次元方向から撮像する工程と、三次元計測器に撮像した画像データを取り込み、鼻骨側面の曲線を額に向けて滑らかに延長した仮想曲線上に眉頭を位置決めするとともに、アイホールと眉弓の間または眉弓近傍に該眉頭を含む眉全体を位置決めし、さらに眉全体が開口されたマスクの三次元電子データを得る工程と、三次元成形機に該三次元電子データを取り込み、マスクを作製する工程と、を有するため、本発明のマスクを好適に作製することができる。
【図面の簡単な説明】
【００１５】
【図１】図１は本発明の実施の形態に係る眉描き補助ツールの原理を説明するためのものであり、顔の部分模式図である。
【図２】図２は本発明の実施の形態の第一の例に係る眉描き補助ツール（マスク）の平面図である。
【図３】図３は本発明の実施の形態の第一の例に係るマスクの図２とは異なる一例の平面図である。
【図４】図４は本発明の実施の形態の第一の例に係るマスクの図２および図３とは異なる一例の平面図である。
【図５】図５は本発明の実施の形態の第一の例に係るマスクの図２〜図４とは異なる一例の斜視図である。
【図６】図６は本発明の実施の形態の第二の例に係る眉描き補助ツール（眉テンプレート）の平面図である。
【図７】図７は図６の眉テンプレートの使用方法を説明するための図である。
【発明を実施するための形態】
【００１６】
本発明の実施の形態について、図を参照して、以下に説明する。
【００１７】
本発明の実施の形態に係る眉描き補助ツールの原理は、図１の顔の部分模式図に示すように、鼻骨側面（図１中、矢印Ａで示す。）の曲線（図１中、矢印Ｂで示す実線。）を額に向けて滑らかに延長した仮想曲線（図１中、矢印Ｂex.で示す破線。）上に眉頭（矢印Ｃで示す。）を位置決めする眉頭位置決め手段と、アイホール（矢印Ｄで示す実線。）と眉弓（矢印Ｅで示す実線。）の間または眉弓近傍に眉頭を含む眉全体（矢印Ｆで示す。）を位置決めする眉全体位置決め手段を有する。
【００１８】
眉頭は、鼻に近い側の眉の先端部分をいう。アイホールは、上まぶたのくぼみの部分をいう。眉弓は、前頭結節の下にある凹面を下方に向けた弓状の骨をいい、この部分は隆起している。眉全体は、アイホールと眉弓の間に位置決めしてもよく、また、一般的に眉が乗っている位置とされる眉弓上や眉弓よりもやや上方に位置決めしてもよい。
【００１９】
眉全体を位置決めしたうえで眉を描くには、適宜の手段を用いることができる。例えば、眉描き補助ツールによって位置決めされた眉を描く場所に、被施術者あるいは施術者（被施術者に眉描きを施す美容技術者）が適宜の美容理論に基づいて所望の造形を行ってもよく、また、例えば、適宜の美容理論に基づいて造形した眉テンプレート等を用いてもよい。
【００２０】
例えば、図１に示した眉（Ｆ）が病気その他の何らかの理由で眉がなくあるいは眉の痕跡に乏しい被施術者の場合、従来の眉描き補助ツールを用いて被施術者に合った眉を描くことは容易ではない。
これに対して、本発明の実施の形態に係る眉描き補助ツールによれば、顔の骨格を構成する、鼻骨、アイホールおよび眉弓を手掛かり、基準として、眉を位置決めするので、被施術者に合った自然な眉を描くことができる。また、被施術者が望む、より自然な仕上がりの眉を描くことができる。
なお、特開２００３−６１７４５号公報に、個人個人の顔型に合ったプレートに、眉毛の形の穴を空けた、眉毛かき用形どりプレートが開示されているが、この技術が本発明の課題を解決する手段として適当でないものであることは明らかである。
【００２１】
本発明の実施の形態に係る眉描き補助ツールは、眉頭位置決め手段と眉全体位置決め手段を有するものである限り、以下に説明する２例をはじめとして、適宜の形状、構造のものを用いることができる。
【００２２】
本発明の実施の形態の第一の例に係る眉描き補助ツールについて、図２〜図４を参照して説明する。
本発明の実施の形態の第一の例に係る眉描き補助ツール１０は、鼻骨側面の曲線を額に向けて滑らかに延長した仮想曲線上に眉頭を位置決めする眉頭位置決め手段と、アイホールと眉弓の間または該眉弓近傍に該眉頭を含む眉全体を位置決めする眉全体位置決め手段を有するものであって、被施術者の少なくとも鼻１２および眉１４に相当する部分を模った（かたどった）樹脂マスクであり、眉１４全体が開口１６されたものである。
上記のように、眉描き補助ツール１０（以下、これをマスク１０ということがある。）は、眉頭が鼻骨側面の曲線を額に向けて滑らかに延長した仮想曲線上に位置決めされ、さらにアイホールと眉弓の間または眉弓近傍に眉頭を含む眉全体を位置決めされることにより、眉が位置決めされる。眉１４の部分には開口１６が形成される。
【００２３】
マスク１０は、顔全体を模ったものであってもよいが、図２に示すように、少なくとも鼻１２および２つの眉１４に相当する部分を模ったものか、あるいは図３に示すように、少なくとも鼻１２および１つの眉１４に相当する部分を模ったものであれば十分であり、かつ好ましい。ここで、鼻１２は鼻筋と小鼻を含むものをいう。また、マスク１０は、額部分として眉の上端から幅１ｃｍ〜４ｃｍ程度を含むことが好ましい。これにより、安価にマスクを作製することができるとともに、マスクを装着する被施術者に対して与えるおそれがある、息苦しさや違和感等の不快感を軽減することができる。
なお、マスク１０の眉の部分は上記のように開口されているが、図２を初めとする各図においてはマスクを撮像する際にマスクの下敷きに用いた黒色板が現れている。
【００２４】
マスク１０は、例えば石膏等の適宜の材料で形成したものを排除するものではないが、例えばＡＢＳ樹脂（Acrylonitrile Butadiene Styrene: アクリロニトリル・ブタジエン・スチレン樹脂）等の適宜の樹脂で形成したものであることが好ましい。これにより、マスクを安価で簡便に作製することができ、また、軽量で取扱が簡易であり、さらにまた、被施術者に対して与えるおそれのある不快感を軽減することができる。
【００２５】
図４に示すように、マスク１０ａは、眉１４を描くための開口１６にメッシュ１８が設けられたものであると、眉を描くアイブローの筆圧をガードするとともにべた塗りを防止することができ、不自然に濃い眉が描かれることを防止することができる。このことは、眉のない顔に眉を描く場合においてより有意義である。メッシュ１８の寸法は特に限定するものではなく、例えば、メッシュの線径については０．０２〜１ｍｍ程度とすることができ、メッシュ間の開口径については０．０２〜２ｍｍ程度とすることができる。
メッシュは、マスクと一体成形してもよく、また、マスクと同一の材料あるいはマスクとは異なる材料を用いてマスクとは別に作製したものをマスクに貼付等してもよい。
【００２６】
また、マスク１０は、図２〜図４に示すように、平面視で鋭角な周縁部分を有さないものであることが、例えば、マスクを装着する顔に与えるおそれがある傷やマスクを取り扱う際に与えるおそれがある傷を防止するうえで好ましい。この場合、マスク型を鋭角な周縁部分を有さないように設計してもよく、また、作製したマスクの鋭角な周縁部分をトリミングして除去してもよい。
また、図５に示すように、マスク１０ｂは、手指で把持する取っ手１９が設けられたものであると、マスク１０ｂの取扱上便宜である。取っ手１９は、適宜の形状とすることができ、また、マスク１０ｂの適宜の位置に設けることができる。
【００２７】
マスク１０、１０ａ、１０ｂは、厚みを特に限定するものではなく、例えば、０．１〜２ｍｍ程度とすることができる。
【００２８】
つぎに、本発明の実施の形態の第二の例に係る眉描き補助ツールについて、図６および図７を参照して説明する。
本発明の実施の形態の第二の例に係る眉描き補助ツール２０は、樹脂等の適宜の材料で形成した眉テンプレートである。
眉描き補助ツール２０（以下、眉テンプレート２０ということがある。）は、図６に示すように、鼻骨側面の曲線を額に向けて滑らかに延長した仮想曲線上に眉頭を位置決めする眉頭位置決め手段と、アイホールと眉弓の間または該眉弓近傍に該眉頭を含む眉全体を位置決めする眉全体位置決め手段を有するものであって、鼻骨側面の曲線にフィットする曲線部２２と、曲線部２２から額に向けて滑らかに延長した仮想曲線にフィットする曲線端を有し、眉部分が開口２４に形成された眉部２６を備える。眉テンプレート２０は、左右対称のものがセットとして設けられ、また、多数の人の顔データに基づいて作製した種々の形状のものが設けられる。
【００２９】
眉テンプレート２０を使用する時、図７に示すように、眉テンプレート２０の曲線部分を被施術者の鼻骨側面に当てる。このとき、鼻骨側面とテンプレートのフィッティングがしっくり来ないときには他の眉テンプレートに差し替えて鼻骨側面にフィッティングさせる。そしてフィッティングする眉テンプレート２０を顔に当てた状態で開口２４に眉を描く。
【００３０】
つぎに、本発明の実施の形態の第一の例に係る眉描き補助ツール１０を好適に得ることができる本発明の実施の形態の第三の例に係る眉描き補助ツールの作製方法について、以下に説明する。
本発明の実施の形態の第三の例に係る眉描き補助ツールの作製方法は、三次元計測器を用い、被施術者の顔を二方向から撮像して顔画像データを得る工程と、撮像した顔画像データに基づいて、鼻骨側面の曲線を額に向けて滑らかに延長した仮想曲線上に眉頭を位置決めするとともに、アイホールと眉弓の間または眉弓近傍に該眉頭を含む眉全体を位置決めし、さらに眉全体が開口されたマスクの三次元画像データを得る工程と、三次元成形機を用い、三次元画像データを取り込み、マスクを作製する工程と、を有することを特徴とする。
以下、具体的に説明する。
【００３１】
三次元計測器（３Ｄデジタイザー）は、例えばＮＥＣ社製ＤＡＮＡＥ等の市販の装置を適宜用いることができる。
三次元計測器に備えられた例えば２台のＣＣＤカメラで被施術者の顔を２方向から撮像する。
撮像された顔画像データは、三次元計測器に備えられたパソコンで三次元画像データに変換される。すなわち、例えばＤＡＮＡＥの場合、パソコンの三次元画像生成用のソフトウエアにより、正弦波による縞模様を投影し、立体形状の表面上に映った縞のコントラストより、三角測量の原理を用いてオブジェクト表面（顔画像）のポリゴンメッシュが作成され、三次元画像データを得る。このとき、上記したように、鼻骨側面の曲線を額に向けて滑らかに延長した仮想曲線上に眉頭を位置決めするとともに、アイホールと眉弓の間または眉弓近傍に眉頭を含む眉全体を位置決めし、さらに眉全体が開口されたマスクの三次元顔画像データを調製する。
【００３２】
三次元成形機（プロトタイピングシステム）は、例えば丸紅情報システムズ株式会社製ＤＩＭＥＮＳＩＯＮ等の市販の装置を適宜用いることができる。
ＤＩＭＥＮＳＩＯＮの場合、それぞれ別のカートリッジから供給されたＡＢＳ樹脂からなるモデル材およびサポート材が、造形ヘッド内の材料溶解ヒータで溶かされる。装置に取り込まれた三次元画像データに基づいて、造形ヘッドがＸ軸Ｙ軸方向に動きながら例えば２１ｃｍ×２１ｃｍの平面寸法領域上で射出・固化によりＡＢＳ樹脂層を形成し、Ｚ軸方向の移動により例えば０．２ｍｍピッチで積層することにより、三次元画像データに基づいた、例えば図２に示すマスクを得る。
【００３３】
本発明の実施の形態の第三の例に係る眉描き補助ツールの作製方法によれば、精密なマスクを簡易にかつ迅速に得ることができる。
【符号の説明】
【００３４】
１０、１０ａ、１０ｂ、２０  眉描き補助ツール
１２  鼻
１４  眉
１８  メッシュ
１９  取っ手
２２  曲線部
２６  眉部
【図１】
2011152317.tif 000003
【図２】
2011152317.tif 000004
【図３】
2011152317.tif 000005
【図４】
2011152317.tif 000006
【図５】
2011152317.tif 000007
【図６】
2011152317.tif 000008
【図７】
2011152317.tif 000009